(57)【要約】【課題】ワンタッチ操作でキャップを開くことができ、特に開蓋状態においても開いたキャップを邪魔にならない位置によけておくことができて使い勝手に優れた印鑑を提供すること。【解決手段】キャップ付きの印鑑であって、印字体２はケース本体１内に内蔵される印字体保持シリンダー５の先端に取り付けられているとともに、この印字体保持シリンダー５の外側には昇降自在な保護シリンダー６が装着されており、一方、前記キャップ３の一側にはＬ字状に延びる摺動子７が延設されていて、この摺動子７をケース本体１の側壁に設けられた円弧状の凹溝８に案内させてキャップ２がケース本体１の開口部を閉じている水平な状態から、ケース本体の側壁に沿う位置へ移動し開口部を開けている垂直な状態まで円弧状に移動可能とした。【選択図】図１
2007290188.tif 000002
【特許請求の範囲】
【請求項１】
上端開口部に開閉自在なキャップを取り付けた筒状のケース本体内に印字体が収納され、使用時にキャップを開けて印面を露出させるようにしたキャップ付きの印鑑であって、前記印字体はケース本体内に内蔵される印字体保持シリンダーの先端に取り付けられているとともに、この印字体保持シリンダーの外側には昇降自在な保護シリンダーが装着されており、一方、前記キャップの一側にはＬ字状に延びる摺動子が延設されていて、この摺動子をケース本体の側壁に設けられた円弧状の凹溝に案内させて、キャップがケース本体の開口部を閉じている水平な状態からケース本体の側壁に沿う位置へ移動し開口部を開けている垂直な状態まで円弧状に移動可能としたことを特徴とする印鑑。
【請求項２】
保護シリンダーの上端面が曲面形状に形成されているとともに、キャップの下端面が前記曲面形状に密接可能な曲面形状に形成されていることを特徴とする請求項１に記載の印鑑。
【請求項３】
保護シリンダーは常に上方側に付勢されて印字体の外周を覆う位置にあり、押印時には下方側へ下降して印字体を露出させるよう構成されている請求項１または２に記載の印鑑。
【請求項４】
保護シリンダーの下降は、キャップの開操作に伴って自動的に行われるよう構成されている請求項３に記載の印鑑。
【請求項５】
キャップの開閉時において、キャップの開閉状態を保持するためのロック機構が設けられている請求項１〜４のいずれかに記載の印鑑。
【発明の詳細な説明】
【技術分野】
【０００１】
本発明は、開閉キャップ付きの印鑑に関し、ワンタッチ操作でキャップを開くことができ、特に開蓋状態においても開いたキャップを邪魔にならない位置によけておくことができて使い勝手に優れ、また壊れにくく多耐久性にも優れた印鑑に関するものである。
【背景技術】
【０００２】
従来から、開閉キャップ付きの印鑑は種々の形式のものが知られており、最も原始的なものでは着脱自在なキャップタイプのものがある。しかしながら、この場合は取り外したキャップを紛失するおそれがあるため、開キャップした場合にもキャップが印鑑ケースに連結していて紛失しないようにした形式のものが開発されている。
【０００３】
このようなタイプのものとして、例えば特許文献１に示されるように、キャップを蝶番を介してケース上端部に取り付け、該蝶番を中心にキャップを１８０度反転させて開キャップ状態とし印面を露出させるようにしたものや、特許文献２に示されるように、キャップをケース上端部に設けたピンを中心に水平方向に回動自在に採り付け、該ピンを中心にキャップを水平方向に１８０度回動させて印面を露出させるようにしたもの等がある。
しかしながら、いずれのものも印面を露出させるのに、キャップを１８０度回動させ、ケースの軸方向に対し垂直方向に飛び出した状態で保持する構造であり、押印する際にキャップが邪魔になるという問題点や、キャップをぶつけて破損させる場合があるという問題点あった。
【０００４】
そこで本件出願人は特許文献３、４に示されるように、キャップをケースの軸方向に沿わせてスライド移動させキャップを開くようにしキャップ破損の防止を図ったものを開発し、先に出願したが、スライド機構が複雑で壊れやすいという問題点があった。
【特許文献１】実開昭６１−９８０６４号公報
【特許文献２】特開２００４−２３０６３９号公報
【特許文献３】実用新案登録第２５８０１８７号公報
【特許文献４】特開平９−３９３５３号公報
【発明の開示】
【発明が解決しようとする課題】
【０００５】
本発明は上記のような問題点を解決して、使用時においてキャップを開けて簡単に印面を露出させることができ、しかも、開蓋状態においてキャップを邪魔にならない位置によけておくことができ、また壊れにくく多耐久性にも優れた印鑑を提供することを目的として完成されたものである。
【課題を解決するための手段】
【０００６】
上記課題を解決するためになされた本発明の印鑑は、上端開口部に開閉自在なキャップを取り付けた筒状のケース本体内に印字体が収納され、使用時にキャップを開けて印面を露出させるようにしたキャップ付きの印鑑であって、前記印字体はケース本体内に内蔵される印字体保持シリンダーの先端に取り付けられているとともに、この印字体保持シリンダーの外側には昇降自在な保護シリンダーが装着されており、一方、前記キャップの一側にはＬ字状に延びる摺動子が延設されていて、この摺動子をケース本体の側壁に設けられた円弧状の凹溝に案内させて、キャップがケース本体の開口部を閉じている水平な状態からケース本体の側壁に沿う位置へ移動し開口部を開けている垂直な状態まで円弧状に移動可能としたことを特徴とするものである。
【発明の効果】
【０００７】
本発明の印鑑は、印字体はケース本体内に内蔵される印字体保持シリンダーの先端に取り付けられているとともに、この印字体保持シリンダーの外側には昇降自在な保護シリンダーが装着されており、一方、キャップの一側にはＬ字状に延びる摺動子が延設されていて、この摺動子をケース本体の側壁に設けられた円弧状の凹溝に案内させてキャップがケース本体の開口部を閉じている水平な状態から、ケース本体の側壁に沿う位置へ移動し開口部を開けている垂直な状態まで円弧状に移動可能としたので、ワンタッチ操作でキャップを開くことができるうえに、開蓋状態においても開いたキャップを邪魔にならない位置によけておくことができ、また壊れにくく優れた多耐久性も発揮できることとなる。
【発明を実施するための最良の形態】
【０００８】
以下に、図面を参照しつつ本発明の好ましい実施の形態を示す。
図１は本発明の印鑑を示す要部の正面図、図２は要部の側面図、図３は要部の斜視図、４は図１の断面図であり、図において１は筒状のケース本体、２はケース本体１内に収納された印字体、３は印字体１の上端開口部を開閉自在なキャップ、４はクリップであり、使用時においてキャップ３を開けて印字体２の印面を露出させるように構成したキャップ付きの印鑑である。
【０００９】
本発明では、図４に示されるように、前記印字体２はケース本体１内に内蔵される印字体保持シリンダー５の先端に取り付けられているとともに、この印字体保持シリンダー５の外側には昇降自在な保護シリンダー６が装着されている。一方、前記キャップ３の一側にはＬ字状に延びる摺動子７が延設されていて、この摺動子７をケース本体１の側壁に設けられた円弧状の凹溝８に案内させてキャップ３がケース本体１の開口部を閉じている水平な状態から、ケース本体１の側壁に沿う位置へ移動し開口部を開けている垂直な状態まで円弧状に移動可能とした構造となっている。
即ち、本発明ではキャップ３を円弧状の凹溝８に案内させることにより、キャップ３をケース本体１の軸方向に対して垂直方向から平行方向まで回動可能な構造としたものである。
【００１０】
より具体的には、前記円弧状の凹溝８は、印字体保持シリンダー５に取り付けられる半月状ブラケット９の外周に形成した段部９ａと、クリップ４の上方に延設した円弧状の板体４ａとにより形成されており、一方、Ｌ字状に延びた摺動子７の裏面にはこの凹溝８に係合する係合突起７ａが突設されていて、該係合突起７ａが円弧状の凹溝８内を移動することにより、キャップ３が所定の軌跡で回動するよう構成されている。
【００１１】
また、保護シリンダー６の上端面は三次元的な曲面形状に形成されているとともに、キャップの下端面も前記曲面形状に密接可能な三次元的な曲面形状に形成されている。実施例のものでは、キャップ３の移動方向に対して線対称であり、正面から見て摺動子７から遠い側に大きく上方側へ膨らんだ円弧とし、更にクリップ側に向けてなだらかに下降する円弧とした三次元の曲面形状となっている（図１、図６、図７参照）。
これにより、キャップ３を円弧状に移動させた際に保護シリンダー６の上端面と干渉し合うことがなく円滑に動くようになっている。
【００１２】
また、保護シリンダー６は、下部に装着したコイルバネ１０によって、常に上方側に付勢されており、常時は印字体２の外周を覆って保護する位置にあり、一方、押印時においては下方側へ下降して印字体２を露出させるよう構成されている。なお、この下降動作は、キャップ３の開操作に伴って自動的に行われるよう構成されている。
具体的には、保護シリンダー６にはクリップ側に向けて係止片１１が突設されており、前記摺動子７に取り付けられたロック操作ボタン１２の下端部がキャップ３を開操作した際に係止片１１に当接し、係止片１１を押し下げることで保護シリンダー６を自動的に下降させる構造となっている（図４、図５参照）。
【００１３】
また、キャップの開閉時において、キャップ３の開閉状態をしっかりと保持するためのロック機構が設けられている。
このロック機構は、キャップ３を閉じた状態にある時、およびキャップ３を開いた状態にある時に、キャップ３を固定して使い勝手の向上を図るものであり、具体的には、半月状ブラケット９の表面に上部側位置決め用凹部９ｂと下部側位置決め用凹部９ｃが設けられていて、前記ロック操作ボタン１２の裏面に取り付けた付勢ボール１３がこれら凹部９ｂ、９ｃに嵌ることにより、キャップ３を所定の位置に固定する構造である。
なお、このキャップ３の固定状態を解除するには、ロック操作ボタン１２を矢印方向へ押圧すれば、梃子の作用により付勢ボール１３が僅かに浮き上がるので、容易に付勢ボール１３の嵌合を解除することができる。（図４、図５参照）。
【００１４】
以上のような構成からなる本発明の印鑑のキャップ開閉操作について説明する。
通常は図１に示すような状態にあり、キャップ３を開く場合は、ロック操作ボタン１２を矢印方向（図４参照）へ押すと、付勢ボール１３が凹部９ｂから離れる。これと同時に、キャップ３をクリップ側に向けて押し下げると、摺動子７が凹溝８に案内されてキャップ３が所定の軌跡で回動する（図６、７参照）。更に、キャップ３を押し下げていくと、開口部を完全に開けた垂直な状態まで移動し、ここで付勢ボール１３が凹部９ｃに嵌合してキャップ３が固定される。なお、この時に保護シリンダー６の係止片１１もロック操作ボタン１２の下端部により押し下げられるため、保護シリンダー６が自動的に下降して印字体２を開口部より露出させた状態となる（図８、９参照）。
この状態で押印するが、キャップ３はケース本体１の側壁に沿う位置にあって邪魔にならず、またキャップ３は付勢ボール１３により固定されているため節度感があり、非常に優れた使い勝手を奏することとなる。一方、キャップ３を閉める場合は、逆の操作を行えばよい。
【００１５】
以上の説明からも明らかなように、本発明の印鑑では使用時においてキャップを邪魔にならない位置によけておくことができ、使い勝手に優れた印鑑を提供できることとなる。また、キャップを開けても置き忘れや紛失などのおそれがないため、安心して使用することができるという利点や、壊れにくい構造で優れた多耐久性を発揮できるという利点もある。
よって本発明は従来の問題点を解決した有用な印鑑として、産業の発展に寄与するところ極めて大である。
【図面の簡単な説明】
【００１６】
【図１】本発明の実施の形態を示す要部の正面図である。
【図２】本発明の実施の形態を示す要部の側面図である。
【図３】本発明の実施の形態を示す要部の斜視図である。
【図４】図１の断面図である。
【図５】キャップを開く工程を示す断面図である。
【図６】キャップを開いた状態を示す正面図である。
【図７】図６の斜視図である。
【図８】キャップを完全に開いた状態を示す正面図である。
【図９】図８の斜視図である。
【符号の説明】
【００１７】
１  ケース本体
１ａ  開口部
２  印字体
３  キャップ
４  クリップ
４ａ  円弧状の板体
５  印字体保持シリンダー
６  保護シリンダー
７  摺動子
７ａ  係合突起
８  凹溝
９  半月状ブラケット
９ａ  段部
９ｂ  上部側位置決め用凹部
９ｃ  下部側位置決め用凹部
１０スプリング
１１  係止片
１２  ロック操作ボタン
１３  付勢ボール
【図１】
2007290188.tif 000003
【図２】
2007290188.tif 000004
【図３】
2007290188.tif 000005
【図４】
2007290188.tif 000006
【図５】
2007290188.tif 000007
【図６】
2007290188.tif 000008
【図７】
2007290188.tif 000009
【図８】
2007290188.tif 000010
【図９】
2007290188.tif 000011